(57)【要約】【課題】作業機械本体上に設置される他の機器に隣接し、作業機械本体上に所要のスペースを形成する箱体と、この箱体を開閉するカバーとを備える作業機械であって、カバーの開く方向の回動が、箱体に隣接する機器によって規制されることのないようにすることができる作業機械の提供。【解決手段】カバー３を開ける際、カバー３が第１軸１７ａを中心に上方向に回動していき、これに連動して、棒状部材１７が第２軸１７ｂを中心に矢印１８方向に回動していき、これらカバー３の回動と棒状部材１７の回動とにより回動軸１４が誘導されて、長溝１６ａに沿って矢印１５方向にスライドしていくようにし、これにより、カバー３の開く方向の回動を規制されることのない、燃料タンク１０前面の化粧カバー１１（隣接する機器）により位置まで、カバー３および回動軸１４を移動させて、カバー３を全開できるようにした。【選択図】        図４
2005002560.tif 000002
【特許請求の範囲】
【請求項１】
作業機械本体と、
前記作業機械本体に所要のスペースを形成するとともに前記作業機械本体の外部に対して開口する開口部を有する箱体と、
前記作業機械本体に設置され前記箱体に隣接する機器と、
前記箱体に取付けられ前記開口部を覆うカバーと、
前記機器近傍に設けられ、前記カバーの一端部を前記箱体に回動可能に支持することにより、前記カバーを前記開口部に対して開閉可能にするカバー開閉構造部とを備える作業機械において、
前記カバー開閉構造部が、前記カバーの前記一端部に設けられカバーの回動中心となる回動軸と、前記箱体に設けられ前記回転軸を軸心回りに回転可能に支持する溝とを備え、
前記溝が、前記機器近傍に始端を有し前記機器から離れる方向に長い長溝からなるとともに、前記カバーが開く際に前記回動軸が前記機器から離れる方向にスライドするのを許容し、前記カバーが閉じる際に前記回転軸が前記機器に近づく方向にスライドするのを許容するように形成されることを特徴とする作業機械。
【請求項２】
作業機械の前部の一側部に設置される運転室、前記前部の他側部に設置される燃料タンク、前記前部の中央で前記運転室と前記燃料タンクの間に設置されるフロント作業機、および、これら運転室、燃料タンク、フロント作業機の後方に設置される機械室を有する作業機械本体と、
前記前部における前記燃料タンクの前方でこの燃料タンクに隣接し、この燃料タンクの上面よりも低い位置に収納スペースを形成するとともに、上面に前記作業機械本体の外部に対して開口する開口部を有する箱体と、
この箱体の前記上面に配置され、前記開口部を覆うカバーと、
前記燃料タンク近傍に設けられ、前記カバーの一端部を前記箱体に回動可能に支持することにより、前記カバーを前記開口部に対して開閉可能にするカバー開閉構造部とを備える作業機械において、
前記カバー開閉構造部が、前記カバーの前記一端部に設けられこのカバーの回動中心となる回動軸と、前記箱体に設けられ前記回転軸を軸心回りに回転可能に支持する溝とを備え、
前記溝が、前記燃料タンク近傍に始端を有し前記燃料タンクから離れる方向に長い長溝からなるとともに、前記カバーが開く際に前記回動軸が前記燃料タンクから離れる方向にスライドするのを許容し、前記カバーが閉じる際に前記回転軸が前記燃料タンクに近づく方向にスライドするのを許容するように形成されることを特徴とする作業機械。
【請求項３】
作業機械の前部の一側部に設置される運転室、前記前部の他側部に設置される燃料タンク、前記前部の中央で前記運転室と前記燃料タンクの間に設置されるフロント作業機、および、これら運転室、燃料タンク、フロント作業機の後方に設置される機械室を有する作業機械本体と、
前記前部における前記燃料タンクの前方でこの燃料タンクに隣接し、この燃料タンクの上面よりも低い位置に収納スペースを形成するとともに、上面に前記作業機械本体の外部に対して開口する開口部を有する箱体と、
この箱体の後面に対向していない前記燃料タンクの前面部分に設けられ、前記箱体の上面上方に突出する化粧カバーと、
前記箱体の前記上面に配置され、前記開口部を覆うカバーと、
前記化粧カバー近傍に設けられ、前記カバーの一端部を前記箱体に回動可能に支持することにより、前記カバーを前記開口部に対して開閉可能にするカバー開閉構造部とを備える作業機械において、
前記カバー開閉構造部が、前記カバーの前記一端部に設けられこのカバーの回動中心となる回動軸と、前記箱体に設けられ、前記回転軸を軸心回りに回転可能に支持する溝とを備え、
前記溝が、前記化粧カバー近傍に始端を有し前記化粧カバーから離れる方向に長い長溝からなるとともに、前記カバーが開く際に前記回動軸が前記化粧カバーから離れる方向にスライドするのを許容し、前記カバーが閉じる際に前記回転軸が前記化粧カバーに近づく方向にスライドするのを許容するように形成されることを特徴とする作業機械。
【請求項４】
前記長溝を、直線状に形成したことを特徴とする請求項１〜３のいずれかに記載の作業機械。
【請求項５】
前記長溝を、曲線状に形成したことを特徴とする請求項１〜３のいずれかに記載の作業機械。
【請求項６】
前記カバー開閉構造部が、前記カバーの一端部と他端部との間に位置する中間部に一端が回動可能に支持され、他端が前記箱体に回動可能に支持される棒状部材を備えることを特徴とする請求項１〜３のいずれかに記載の作業機械。
【請求項７】
前記棒状部材が、流体ばねからなることを特徴とする請求項６記載の作業機械。
【発明の詳細な説明】
【０００１】
【発明の属する技術分野】
本発明は、運転席、機械室、フロント作業機、燃料タンク等の多数の機器が設置される作業機械本体に、この作業機械本体の外部に対して開口する開口部を有する箱体を設けてメンテナンス用品や工具を収納する収納スペース、メンテナンス作業を行なうメンテナンススペースなどの所要のスペースを形成するとともに、箱体の開口部をカバーで覆い、このカバーの一端部を箱体に回動可能に支持してカバーを開口部に対して開閉可能にするカバー開閉構造部を有する油圧ショベルやクレーンなどの作業機械に関する。
【０００２】
【従来の技術】
以下に、従来の作業機械、例えばクローラ式ショベル（以下、「ショベル」ともいう）について図１，１０を用いて説明する。
【０００３】
図１は、収納ボックスを備えるクローラ式ショベルを示す斜視図、図１０は、従来のクローラ式ショベルの収納ボックスの構成を示す説明図である。
【０００４】
従来のクローラ式ショベルは、図１に示すように、作業機械本体、すなわち旋回体４０と、この旋回体４０と図示しない旋回輪を介して連結される走行体４５とを備えている。
【０００５】
旋回体４０には、運転室４１、機械室４３、フロント作業機４２、カウンタウェイト４４および燃料タンク１０などの機器が設置されている。
【０００６】
運転室４１は、旋回体４０の前部の左側部に設置されている。燃料タンク１０は、旋回体４０の前部の右側部に設置されている。フロント作業機４２は、旋回体４０の前部中央、すなわち、運転室４１と燃料タンク１０との間に設置されている。また、機械室４３は、運転室４１、燃料タンク１０、およびフロント作業機４２の後方に設置されている。そして、カウンタウェイト４４は、機械室４３の後方、すなわち旋回体４０の後端に設置されている。
【０００７】
旋回体４０の下部は、この旋回体４０全体を走行体４５上に支持するために、図示しないセンターフレームと、このセンターフレームの両側部に張出す張出しビーム１２（図１０参照）と、この張出しビーム１２の端部に固定されるサイドフレーム４９（図１参照）とから概略構成されている。
【０００８】
そして、従来から、この種のショベルには、図１０に示すように、燃料タンク１０に対してこの燃料タンク１０の前方で隣接する位置に、収納ボックス４６Ｃを備えているものがある。
【０００９】
この収納ボックス４６Ｃは、メンテナンス用品や工具を収納するためのものであり、張出しビーム１２に固着される第１の箱体１と、この第１の箱体１上に設けられる第２の箱体２とを備えている。
【００１０】
第１の箱体１は、メンテナンス用品や工具を収納する第１収納スペース１ａを形成するものであり、上面にメンテナンス用品や工具を出し入れする開口部１ｂを有する。
【００１１】
第２の箱体２は、メンテナンス用品や工具を収納する第２収納スペース２ａを形成するものであり、上面にメンテナンス用品や工具を出し入れする開口部２ｂを有する。この第２の箱体２の下面には、開口部が設けられており、これにより、第２収納スペース２ａが開口部１ｂを介して第１収納スペース１ａと連続している。なお、第１の箱体１の開口部１ｂの周縁には、第１の箱体１の上面と第２の箱体２の下面との間から収納ボックス４６Ｃ内に雨水などが浸入するのを防止するために、防水壁１ｃが設けられている。
【００１２】
また、第２の箱体２の上部には、開口部２ｂを覆うカバー３と、このカバー３の一端部を第２の箱体２の上部に回動可能に支持して開口部２ｂに対してカバー３を開閉可能にするカバー開閉構造部５０Ｃとが設けられている。このカバー開閉構造部５０Ｃは、カバー３を第２の箱体２の上面に回動可能に結合する蝶番４を備えている。
【００１３】
また、カバー開閉構造部５０Ｃは、カバー３と第２の箱体２とを連結する流体ばね７を備えている。この流体ばね７は、カバー３に回動可能に支持され作動流体が充填されたシリンダ５と、箱体２に回動可能に支持されカバー３の開閉に伴ってシリンダ５内を往復運動するピストン６とからなる。つまり、カバー３は、流体ばね７により、開く方向に常時付勢されており、これによって、カバー３が小さな力で開き、また、カバー３が開いた状態に保持されるようになっている。
【００１４】
また、カバー３は、側方から見た形状をへ字形状に形成して、このカバー３が閉じた状態において第２の箱体２の開口部２ｂおよび前面２ｃが覆われるようになっている。
【００１５】
また、収納ボックス４６Ｃには、カバー３を閉じた状態でロックするロック手段が設けられている。このロック手段は、図１０に実線で示すように、第２の箱体２の前面２ｃに対向するカバー３の裏側に設けられ、旋回体４０の前後方向に回動可能に支持されるとともに、後方向に常に弾性付勢されているフック８と、第２の箱体２の前面２ｃに設けられ、カバー３が閉じたときにフック８が引っ掛るフック受け部９と、カバー３の前面に設けられフック８を操作する操作部材８ａ（図１参照）とを備えている。つまり、カバー３を閉じると、フック８がフック受け部９に引っ掛かってカバー３が開かないようにロックされ、カバー３を開くときには、操作部材８ａを操作してフック８を前方向（紙面の右方向）に回動させてフック受け部８から外すことにより、カバー３のロックを解除できるようになっている。
【００１６】
また、収納ボックス４６Ｃの上面の高さ位置は、燃料タンク１０の上面の高さ位置よりも低く設定されており、第１の箱体１の前端には、前方に突出する板状のステップ４７が設けられている。つまり、ステップ４７、収納ボックス４６の上面、および燃料タンク１０の上面により階段が形成されており、これによって、旋回体４０上に乗り降りできるようになっている。なお、収納ボックス４６の上面、すなわち、カバー３の上面には、滑り止めシート４８が貼り付けられている。
【００１７】
また、上述のようにして階段を設けたことにより、燃料タンク１０の上面が、収納ボックス４６の上面よりも高い位置にあるので、収納ボックス４６Ｃの後面に対向していない燃料タンク１０の前面部分、すなわち、収納ボックス４６Ｃに隠れていない燃料タンク１０の前面部分には、見栄えを良くするために、化粧カバー１１が取付けられている。
【００１８】
【特許文献１】
特開平８−１３２９７８号公報
（段落００２０〜００３０、図１〜３）
【００１９】
【発明が解決しようとする課題】
ところで、上述した従来のショベルでは、図１０に示すように、化粧カバー１１が、第２の箱体２の上面上方において蝶番４近傍まで突出している。このため、カバー３をある程度開くと、カバー３の開く方向の回動が化粧カバー１１により規制される。この結果、カバー３を開口部２ｂ側に傾いた状態までしか開くことができず、すなわち、カバー３を十分に開くことができず、開口部２ｂからメンテナンス用品や工具を出し入れする際に、カバー３が邪魔になるという問題があった。
【００２０】
なお、ショベルには、カウンタウェイト４４に隣接する機械室４３の後側面４３ａに、メンテナンスを行なう際の出入口となる開口部を設け、この開口部を開閉可能にするために上述のカバー開閉構造部５０Ｃを採用して、カバーをカウンタウェイト４４側に開くようにしたものがある。この場合、カウンタウエイトによりカバーの開く方向の回動が規制されてカバーを十分に開くことができないので、カバーがメンテナンス作業を行なう際に邪魔になっていた。
【００２１】
また、上述したショベルの他に、フロント作業機４２や図示しない作動油タンクなどによりカバーの開く方向の回動が規制される収納スペースやメンテナンススペースをそなえるものもある。
【００２２】
また、ミニショベルや小旋回機では、旋回体上における各種機器の設置スペースが制限される度合いが大きいので、収納スペースやメンテナンススペースに設けたカバーの開く方向の回動がそのスペースに隣接する機器により規制されやすいという問題があった。
【００２３】
本発明は、上述の実情を考慮してなされたものであり、その目的は、作業機械本体上に設置される他の機器に隣接し所要のスペースを形成する箱体と、この箱体を開閉するカバーとを備える作業機械であって、カバーの開く方向の回動が箱体に隣接する機器により規制されることのないようにすることができる作業機械を提供することにある。
【００２４】
【課題を解決するための手段】
上述の目的を達成するために、請求項１に係る発明は、作業機械本体と、前記作業機械本体に所要のスペースを形成するとともに前記作業機械本体の外部に対して開口する開口部を有する箱体と、前記作業機械本体に設置され前記箱体に隣接する機器と、前記箱体に取付けられ前記開口部を覆うカバーと、前記機器近傍に設けられ、前記カバーの一端部を前記箱体に回動可能に支持することにより、前記カバーを前記開口部に対して開閉可能にするカバー開閉構造部とを備える作業機械において、前記カバー開閉構造部が、前記カバーの前記一端部に設けられカバーの回動中心となる回動軸と、前記箱体に設けられ前記回転軸を軸心回りに回転可能に支持する溝とを備え、前記溝が、前記機器近傍に始端を有し前記機器から離れる方向に長い長溝からなるとともに、前記カバーが開く際に前記回動軸が前記機器から離れる方向にスライドするのを許容し、前記カバーが閉じる際に前記回転軸が前記機器に近づく方向にスライドするのを許容するように形成されることを特徴とする。
【００２５】
このように構成した請求項１に係る発明では、カバーの回動軸がその軸心を中心として回転可能な状態で長溝に支持されているので、カバーを回動軸を中心に回動させて開口部に対して開閉させることができる。また、長溝の始端から終端の間において、箱体に隣接する機器から離れる方向への回動軸のスライドが許容されるので、カバーを開く際、隣接する機器から離れる方向の外力をカバーに与えることにより、カバーおよび回動軸を機器から離れる方向にスライドさせることができる。これにより、カバーの開く方向の回動が箱体に隣接する機器により規制されることのない位置まで、カバーおよび回動軸を移動させてカバーを開くことができるので、カバーの開く方向の回動が箱体に隣接する機器により規制されることがないようにすることができる。
【００２６】
また、請求項２に係る発明は、作業機械の前部の一側部に設置される運転室、前記前部の他側部に設置される燃料タンク、前記前部の中央で前記運転室と前記燃料タンクの間に設置されるフロント作業機、および、これら運転室、燃料タンク、フロント作業機の後方に設置される機械室を有する作業機械本体と、前記前部における前記燃料タンクの前方でこの燃料タンクに隣接し、この燃料タンクの上面よりも低い位置に収納スペースを形成するとともに、上面に前記作業機械本体の外部に対して開口する開口部を有する箱体と、この箱体の前記上面に配置され、前記開口部を覆うカバーと、前記燃料タンク近傍に設けられ、前記カバーの一端部を前記箱体に回動可能に支持することにより、前記カバーを前記開口部に対して開閉可能にするカバー開閉構造部とを備える作業機械において、前記カバー開閉構造部が、前記カバーの前記一端部に設けられこのカバーの回動中心となる回動軸と、前記箱体に設けられ前記回転軸を軸心回りに回転可能に支持する溝とを備え、前記溝が、前記燃料タンク近傍に始端を有し前記燃料タンクから離れる方向に長い長溝からなるとともに、前記カバーが開く際に前記回動軸が前記燃料タンクから離れる方向にスライドするのを許容し、前記カバーが閉じる際に前記回転軸が前記燃料タンクに近づく方向にスライドするのを許容するように形成されることを特徴とする。
【００２７】
このように構成した請求項２に係る発明では、カバーの回動軸がその軸心を中心として回転可能な状態で長溝に支持されているので、カバーを回動軸を中心に回動させて、開口部に対して開閉させることができる。また、長溝の始端から終端の間において、燃料タンクから離れる方向への回動軸のスライドが許容されるので、カバーを開く際、燃料タンクから離れる方向の外力をカバーに与えることにより、カバーおよび回動軸を燃料タンクの前面から離れる方向にスライドさせることができる。これにより、カバーの開く方向の回動が箱体に隣接する燃料タンクにより規制されることのない位置まで、カバーおよび回動軸を移動させてカバーを開くことができるので、カバーの開く方向の回動が箱体に隣接する燃料タンクにより規制されることのないようにすることができる。
【００２８】
また、請求項３に係る発明は、作業機械の前部の一側部に設置される運転室、前記前部の他側部に設置される燃料タンク、前記前部の中央で前記運転室と前記燃料タンクの間に設置されるフロント作業機、および、これら運転室、燃料タンク、フロント作業機の後方に設置される機械室を有する作業機械本体と、前記前部における前記燃料タンクの前方でこの燃料タンクに隣接し、この燃料タンクの上面よりも低い位置に収納スペースを形成するとともに、上面に前記作業機械本体の外部に対して開口する開口部を有する箱体と、この箱体の後面に対向していない前記燃料タンクの前面部分に設けられ、前記箱体の上面上方に突出する化粧カバーと、前記箱体の前記上面に配置され、前記開口部を覆うカバーと、前記化粧カバー近傍に設けられ、前記カバーの一端部を前記箱体に回動可能に支持することにより、前記カバーを前記開口部に対して開閉可能にするカバー開閉構造部とを備える作業機械において、前記カバー開閉構造部が、前記カバーの前記一端部に設けられこのカバーの回動中心となる回動軸と、前記箱体に設けられ、前記回転軸を軸心回りに回転可能に支持する溝とを備え、前記溝が、前記化粧カバー近傍に始端を有し前記化粧カバーから離れる方向に長い長溝からなるとともに、前記カバーが開く際に前記回動軸が前記化粧カバーから離れる方向にスライドするのを許容し、前記カバーが閉じる際に前記回転軸が前記化粧カバーに近づく方向にスライドするのを許容するように形成されることを特徴とする。
【００２９】
このように構成した請求項３に係る発明では、カバーの回動軸がその軸心を中心として回転可能な状態で長溝に支持されているので、カバーを回動軸を中心に回動させて、開口部に対して開閉させることができる。また、長溝の始端から終端の間において、化粧カバーから離れる方向への回動軸のスライドが許容されるので、カバーを開く際、化粧カバーから離れる方向の外力をカバーに与えることにより、カバーおよび回動軸を化粧カバーから離れる方向にスライドさせることができる。これにより、カバーの開く方向の回動が箱体に隣接する化粧カバーにより規制されることのない位置まで、カバーおよび回動軸を移動させてカバーを開くことができるので、カバーの開く方向の回動が化粧カバーにより規制されることのないようにすることができる。
【００３０】
また、請求項４に係る発明は、請求項１〜３のいずれかに係る発明において、前記長溝を、直線状に形成したことを特徴とする。
【００３１】
また、請求項５に係る発明は、請求項１〜３のいずれかに係る発明において、前記長溝を、曲線状に形成したことを特徴とする。
【００３２】
また、請求項６に係る発明は、請求項１〜３のいずれかに係る発明において、前記カバー開閉構造部が、前記カバーの一端部と他端部との間に位置する中間部に一端が回動可能に支持され、他端が前記箱体に回動可能に支持される棒状部材を備えることを特徴とする。
【００３３】
また、請求項７に係る発明は、請求項６に係る発明において、前記棒状部材が、流体ばねからなることを特徴とする。
【００３４】
【発明の実施の形態】
以下に、本発明の作業機械の実施形態について説明する。
【００３５】
［第１の実施形態］
第１の実施形態について図１〜４を用いて説明する。
【００３６】
図１は、収納ボックスを備えるクローラ式ショベルを示す斜視図、図２は、第１の実施形態の収納ボックスの構成を示す説明図、図３は、図２に示す収納ボックスのＩＩＩ−ＩＩＩ断面図、図４は、図２に示すカバー開閉構造部の拡大図である。
【００３７】
第１の実施形態は、収納ボックス４６を備えるクローラ式ショベルであり、図１に示すように、作業機械本体、すなわち旋回体４０と、この旋回体４０と図示しない旋回輪を介して連結される走行体４５とを備えている。
【００３８】
旋回体４０には、運転室４１、機械室４３、フロント作業機４２、カウンタウェイト４４および燃料タンク１０などの機器を設置してある。運転室４１は、旋回体４０の前部の一方の側部に配置してある。燃料タンク１０は、旋回体４０の前部の他方の側部に配置してある。フロント作業機４２は、旋回体４０の前部中央、すなわち、運転室４１と燃料タンク１０との間に配置してある。機械室４３は、運転室４１および燃料タンク１０の後方に配置してある。カウンタウェイト４４は、機械室４３の後方、すなわち旋回体４０の後端に配置してある。
【００３９】
旋回体４０の下部は、この旋回体４０全体を走行体４５上で支持するために、図示しないセンターフレームと、このセンターフレームの両側部に張出す張出しビーム１２（図２に示す）と、この張出しビーム１２の端部に固定されるサイドフレーム４９とから概略構成してある。
【００４０】
特に第１の実施形態では、燃料タンク１０に対してこの燃料タンク１０の前方で隣接する位置に、収納ボックス４６を設けてある。
【００４１】
この収納ボックス４６は、メンテナンス用品や工具を収納するためのものであり、張出しビーム１２に固着される第１の箱体１と、この第１の箱体１上に設けられる第２の箱体２とを備えている。
【００４２】
第１の箱体１は、メンテナンス用品や工具を収納する第１収納スペース１ａを形成するものであり、上面にメンテナンス用品や工具を出し入れする開口部１ｂを有する。
【００４３】
第２の箱体２は、メンテナンス用品や工具を収納する第２収納スペース２ａを形成するものであり、上面にメンテナンス用品や工具を出し入れする開口部２ｂを有する。この第２の箱体２の下面には、開口部が設けられており、これにより、第２収納スペース２ａを、開口部１ｂを介して第１収納スペース１ａと連続させてある。なお、第１の箱体１の開口部１ｂの周縁には、第１の箱体１の上面と第２の箱体２の下面との間から収納ボックス４６Ｃ内に雨水などが浸入するのを防止するために、防水壁１ｃを設けてある。
【００４４】
また、第２の箱体２の上部には、開口部２ｂを覆うカバー３と、このカバー３の一端部を第２の箱体２の上部に回動可能に支持して開口部２ｂに対してカバー３を開閉可能にするカバー開閉構造部５０とを設けてある。このカバー開閉構造部５０は、図３，４に示すように、カバー３後端の両側部のそれぞれに設けられる板状部１４ａと、この板状部１４ａに設けられ外側方に向かって突出する回動軸１４と、第２の箱体２の後部上面の両側部のぞれぞれに固着され、回動軸１４がその軸心を中心として回転可能に支持される長溝１６ａを有するガイド部材１６とを備えている。
【００４５】
ガイド部材１６の長溝１６ａは、化粧カバー１１の下部近傍に始端を有し、化粧カバー１１から離れる方向、すなわち、前方向（紙面の左から右に向かう方向）に長く、カバー３が開く際に回動軸１４が化粧カバー１１から離れる方向にスライドするのを許容し、カバー３が閉じる際に回転軸１４が化粧カバー１１に近づく方向にスライドするのを許容するようにしてある。また、長溝１６ａの終端には、下方向にへこむ凹部１６ｂを形成してある。
【００４６】
また、カバー開閉構造部５０は、カバー３の一端部と他端部との間に位置する中間部に一端が回動可能に支持され、他端が第２の箱体２に回動可能に支持される棒状部材１７を備えている。棒状部材１７の一端は、板状部１４ａに設けた第１軸１７ａに挿通して回動可能に支持してあり、他端は、第２の箱体２の内側面に設けた第２軸１７ｂに挿通して回動可能に支持してある。
【００４７】
また、カバー３は、側方から見た形状をへ字形状に形成して、このカバー３が閉じた状態において第２の箱体２の開口部２ｂおよび前面２ｃが覆われるようにしてある。
【００４８】
また、カバー３には、カバー３を閉じた状態でロックするロック手段を設けてある。このロック手段は、図２に実線で示すように、第２の箱体２の前面２ｃに対向するカバー３の裏側に設けられ、旋回体４０の前後方向に回動可能に支持されるとともに、後方向に弾性付勢されるフック８と、箱体３の前面２ｃに設けられ、フック８が引っ掛るフック受け部９と、カバー３の前面に設けられフック８を操作する操作部材８ａ（図１参照）とを備えている。これにより、カバー３を閉じると、フック８がフック受け部９に引っ掛かってカバー３が開かないようにロックされるようにしてあり、カバー３を開くときには、操作部材８ａを操作してフック８を前方向（紙面の右方向）に回動させてフック受け部８から外すことにより、カバー３のロックを解除できるようにしてある。
【００４９】
また、図２に示すように、収納ボックス４６の上面の高さ位置は、燃料タンク１０の上面の高さ位置よりも低く設定してあり、第１の箱体１の前端には、前方に突出する板状のステップ４７を設けてある。つまり、ステップ４７、収納ボックス４６の上面、および燃料タンク１０の上面により階段を形成してあり、これにより、旋回体４０に乗り降りができるようにしてある。なお、収納ボックス４６の上面、すなわち、カバー３の上面には滑り止めのためのシート４８を貼り付けてある。
【００５０】
また、上述のようにして階段を設けたことにより、燃料タンク１０の上面が、収納ボックス４６の上面よりも高い位置にあるので、収納ボックス４６の後面に対向していない燃料タンク１０の前面部分、すなわち、収納ボックス４６に隠れていない燃料タンク１０の前面部分には、見栄えを良くするために、化粧カバー１１を取付けてある。そして、この化粧カバー１１の下端部近傍に、前記カバーの開閉構造部５０を設けてある。
【００５１】
このように構成した第１の実施形態は、次のように動作する。
【００５２】
カバー３が閉まった状態（図１に実線で示すカバー３の状態）では、フック８がフック受け部９に引っ掛かってカバー３が開かないようにロックされている。
【００５３】
したがって、作業者は、カバー３を開く際、カバー３の前面の操作部材８ａを操作してフック８を旋回体４０の前方向（紙面の右方向）に回動させ、フック８をフック受け部８から外してカバー３のロックを解除する。そして、カバー３を図２の２点鎖線で示す位置まで回動させていく。
【００５４】
この間、図４に示すように、カバー３が第１軸１７ａを中心に上方向に回動していき、これに連動して棒状部材１７が第２軸１７ｂを中心に矢印１８方向に回動していく。このようにカバー３が第１軸１７ａを中心に上方向に回動しつつ、棒状部材１７が第２軸１７ｂを中心として矢印１８方向に回動していくと、これらカバー３の回動と棒状部材１７の回動により回動軸１４が誘導されて、長溝１６ａに沿って矢印１５方向にスライドしていく。つまり、カバー３が開き始めてから全開するまでの間、カバー３および回転軸１４が前方向に移動して化粧カバー１１から離れていく。これにより、図２，４の２点鎖線で示すように、カバー３が化粧カバー１１に接触しない位置で全開する。そして、このようにしてカバー３が全開すると、図４に示すように回動軸１４が長溝１６ａの終端に達して凹部１６ｂに嵌り、これにより、カバー３が全開した状態でロックされる。
【００５５】
また、全開した状態のカバー３を閉じる際、操作者は、はじめにカバー３の後端部を持ち上げて、凹部１６ｂから回動軸１４を浮き上がらせ、この状態で、カバー３を下方向に回動させる。
【００５６】
このとき、カバー３は、回動軸１４が凹部１６ｂから浮き上がった状態で、第１軸１７ａを中心にして下方向に回動する。これにより、回動軸１４は、長溝１６ａの終端から始端方向にずれ、カバー３の開いた状態のロックが解除される。そして、このようにしてカバー３のロック２を解除した後、作業者は、カバー３を図２の実線で示す位置まで回動させる。
【００５７】
この間、図４に示すように、カバー３が、第１軸１７ａを中心に下方向に回動していき、棒状部材１７が、このカバー３の回動に連動して、第２軸１７ｂを中心に一旦矢印１８方向に回動した後に矢印１８方向と反対方向に回動していき、これらカバー３の回動と棒状部材１７の回動により誘導されて、回動軸１４が長溝１６ａに沿って矢印１５方向と反対方向にスライドしていく。つまり、カバー３が閉まっていくのに伴ってカバー３および回動軸１４が化粧カバー１１に近づいていく。
【００５８】
そして、カバー３が図２の実線で示す位置近傍に達すると、フック８がフック受け部９の上端部に接触して前方向に回動し、カバー３が図１の実線で示す位置に達すると、フック８がフック受け９に引っ掛かって、カバー３が完全に閉まった状態で開かないようにロックされる。
【００５９】
第１の実施形態によれば、次の効果が得られる。
【００６０】
カバー３の開く方向の回動が化粧カバー１１により規制されることのない位置まで、カバー３および回動軸１４を移動させて、カバー３を開くことができるので、カバー３の開く方向の回動が化粧カバー１１により規制されることのないようにすることができ、カバー３を全開させることができる。これにより、カバー３が邪魔になることなく、メンテナンス用品や工具等を収納ボックス４６から取出したり、収納ボックス４６に入れたりすることができる。
【００６１】
また、カバー３を開く際に、棒状部材１７によりカバー３が支えられているので、カバー３を安全に開くことができる。
【００６２】
なお、第１の実施形態では、カバー３と第２の箱体２を棒状部材１７により連結した例を挙げたが、本発明はこれに限るものではない。すなわち、カバー３と第２の箱体２を、作動流体が充填されたシリンダと、カバー３の開閉に伴ってシリンダ内を往復運動するピストンとからなる流体ばねにより連結してもよい。これにより、カバー３が開く方向に付勢されるので、小さい力でカバー３を開くことができ、また、長溝１６ａに凹部１６ｂを形成しなくてもカバー３を開いた状態に支持することができる。
【００６３】
また、第１実施形態では、棒状部材７を備えているが、本発明はこれに限るものではなく、棒状部材７を省いてもよい。このように構成したものでは、作業者はカバー３に前後方向の力を付与して回動軸１４をスライドさせながら、カバー３を上下方向に回動させることにより、カバー３を開閉することになるが、この場合でも、化粧カバー１１によりカバー３の回動を規制されることなく、カバー３を開くことができる。また、前述した従来のカバー開閉構造部よりも少ない部品点数で、カバー３を回動可能に支持でき、かつ、カバーを開いた状態に保持できる。
【００６４】
また、このように棒状部材７を省いたものでは、回動軸１４を第２の箱体２の前後方向にスライド可能に支持する長溝を、長溝１６ａのように直線状に形成するのではなく、曲線状に形成してもよい。
【００６５】
また、第１の実施形態では、燃料タンク１０の前方に収納ボックス４６を設置し、この収納ボックス４６にカバー開閉構造部５０を採用した例を挙げたが、本発明はこれに限るものではない。例えば、機械室４３の後側部４３ａにメンテナンスの際に出入口となる開口部を設け、この開口部を開閉可能にするためにカバー開閉構造部５０を採用してもよい。
【００６６】
なお、ショベルには、カウンタウェイト４４に隣接する機械室４３の後側面４３ａに、メンテナンスを行なう際の出入口となる開口部を設け、この開口部を開閉可能にするために上述のカバー開閉構造部５０を採用して、カバーをカウンタウェイト４４側に開くようにしたものがある。このように構成した場合には、例えば、機械室４３に隣接するカウンタウエイト４４によるカバーの開く方向の回動の規制を避けることができる。
【００６７】
また、作動油タンクやブームなどの機器に隣接する位置に、収納スペースやメンテナンススペースを設ける場合でも同様に、カバー開閉構造部５０を採用すれば、それらの機器によりカバーの開く方向の回動が規制されるのを避けることができる。
【００６８】
［第２の実施形態］
次に、第２の実施形態について図５〜７を用いて説明する。
【００６９】
図５は、第２の実施形態の収納ボックスの構成を示す説明図、図６は、図５のＶＩ−ＶＩ断面図、図７は、図５に示すカバー開閉構造部の拡大図である。なお、図５において、上述の図２に示すものと同等のものに図２に付した符号と同じ符号を付してある。
【００７０】
第２の実施形態も、収納ボックスを第１の実施形態と同様の位置に備えるクローラ式ショベルであるが、その収納ボックスが収納ボックス４６Ａである点と、燃料タンク１０の前面に化粧カバー１１を取付けていない点とが、第１の実施形態と異なっている。
【００７１】
つまり、収納ボックス４６Ａは、図５に示すように、図示しないセンターフレームから右方向に張り出す張出しビーム１２の前部に、第１収納スペース２３ａを形成するとともに、上面にメンテナンス用品や工具を出し入れする開口部２３ｂを有する箱体２３を備えている。
【００７２】
この箱体２３の上部には、開口部２３ｂを開閉するためのカバー３０を設けてある。このカバー３０は、側方から見た縦断面形状がコ字形状の部材からなり、開口部２３ｂを開閉するためだけでなく、第１収納スペース２３ａに連続する第２収納スペース３０ａを形成するものである。
【００７３】
また、このカバー３０の下面の縁には、カバー３０が閉じる際に、カバー３０の下面と箱体２３の上面と間に生じる衝撃を緩和する緩衝部材３２を貼り付けてある。また、カバー３０が閉じた状態におけるカバー３０の後面３０ｂの上部には、カバー３０が全開する際に、カバー３０の後面３０ｂと箱体２３の後部上面２３ｃとの間で生じる衝撃を緩和する緩衝部材３３を貼り付けてある。これらの緩衝部材３２，３３は、ウレタンやゴムなどの部材からなる。また、緩衝部材３２はカバー３０の下面の縁に沿って無端状に貼り付けてある。すなわち、カバー３０が閉じた状態（図５の実線で示す状態）のとき、緩衝部材３２が開口部２３ｂを囲んで位置するようにしてあり、これにより、カバー３０の下面と箱体２３の上面との間から箱体２３内への雨水などが浸入するのを防止できるのようになっている。
【００７４】
また、カバー３０を箱体２３に支持して、開口部２３ｂに対して開閉可能にするカバー開閉構造部５０Ａは、図６，７に示すように、側面視形状が鉤状の部材からなり、カバー３０の後面３０ｂの裏側の下部に一端が固定されるブラケット１９と、このブラケット１９の他端に外側方に向かって突出しカバー３０の回動中心となる回動軸２０と、箱体２３の両側部の内側面のそれぞれに固着され、回動軸２０を回転可能に支持する長溝２２ａを有するガイド部材２２とを備えている。
【００７５】
ガイド部材２２の長溝２２ａは、燃料タンク１０の下部近傍に始端を有し、燃料タンク１０から離れる方向、すなわち、旋回体４０の後から前に向かう方向（紙面の左から右に向かう方向）に長く、カバー３０が開く際に回動軸２０が燃料タンク１０から離れる方向（前方向）にスライドするのを許容し、カバー３０が閉じる際に回転軸２０が燃料タンク１０に近づく方向（後方向）にスライドするのを許容するようにしてある。
【００７６】
なお、収納ボックス４６Ａには、図５に示すように、カバー３０を閉じた状態でロックするロック手段を設けてある。このロック手段は、第１の実施形態と同様のものである。つまり、カバー３０の前面３０ｃの裏側に設けられるフック８と、箱体２３の前部上面に設けられるフック受け部９と、カバー３０の前面３０ｃに設けられフック８を操作するための操作部材８ａ（図１参照）とを備えている。
【００７７】
このように構成した第２の実施形態は、次のように動作する。
【００７８】
第２の実施形態は、カバー３０が完全に閉まった状態（図５に実線で示す状態）において、カバー３０に設けられたフック８が箱体２３に設けられたフック受け部９に引っ掛っており、カバー３０が開かないようにロックされている。
【００７９】
したがって、作業者は、カバー３０を開く際、カバー３の前面３０ｃに設けられた操作部材８ａを操作して、フック８を前方向に回動させてフック受け部９から外し、カバー３０のロックを解除する。そして、カバー３０を前方向へ引きながら、カバー３０の前部を持ち上げ、カバー３０が図３の２点鎖線で示す状態になるまで開く、すなわち全開させる。
【００８０】
このようにしてカバー３０が開いていく間、回動軸２０は、図７に示すように、カバー３０とともに長溝２２ａに沿って矢印２１方向にスライドしていき、カバー３０の前部が持ち上げられると、カバー３０の回動中心となる。これにより、カバー３０は、燃料タンク１０から離れる方向（前方向）に移動しながら開くていく。
【００８１】
そして、カバー３０が全開した状態では、カバー３０の後面３０ｂの上部が、箱体２３の後部上面２３ｃに緩衝部材３２を介して載置され、後面３０ｂの下部がブラケット１９および回動軸２０により支持されて、カバー３０の全開した状態に保持される。
【００８２】
また、全開させたカバー３０を閉じる際、作業者は、上を向いているカバー３０を回転軸２０を中心に下方向に回動させながら、カバー３０および回転軸２０を長溝２２ａに沿って矢印２１方向と反対方向にスライドさせ、図７の実線に示す位置まで移動させていく。すなわち、カバー３０を開くときとは逆方向にカバー３０および回動軸２０を移動させていく。そして、カバー３０が図７の実線で示す位置に達すると、フック８がフック受け部９に引っ掛り、カバー３０が閉まった状態でロックされる。
【００８３】
第２の実施形態によれば、次の効果が得られる。
【００８４】
カバー３０の開く方向の回動が燃料タンク１０により規制されることのない位置まで、カバー３０および回動軸２０を移動させて、カバー３０を開くことができるので、カバー３０の開く方向の回動が燃料タンク１０により規制されることのないようにすることができ、カバー３０を全開させることができる。これにより、カバー３０が邪魔になることなく、メンテナンス用品や工具等を収納ボックス４６Ａから取出したり、収納ボックス４６Ａに入れたりすることができる。
【００８５】
また、従来のカバー開閉構造部よりも少ない部品点数で、カバーを回動可能に支持でき、かつ、カバーを開いた状態に保持できる。
【００８６】
［第３の実施形態］
次に、第３の実施形態について図８，９を用いて説明する。
【００８７】
図８は、第３の実施形態の収納ボックスを示す断面図、図９は、図８のＩＸ−ＩＸ断面図である。なお、図８は、上述の図５に対応する断面図であり、図５に示すものと同等のものに図５に付した符号と同じ符号を付してある。
【００８８】
第３の実施形態は、第１，第２実施形態と同様の位置に収納ボックスを備えるクローラ式ショベルであるが、その収納ボックスが収納ボックス４６Ｂである点で、第２の実施形態と異なっており、これ以外の点は、第２の実施形態と同じ構成である。
【００８９】
つまり、収納ボックス４６Ｂは、カバー３０の後面３０ｂに開口部３０ｅを有する。このカバー３０の開口部３０ｅは、２つのブラケット１９の間に設けてあり、２つのブラケット１９間の間隔寸法とほぼ同じに幅寸法で、カバー３０の下面からカバー３０上面付近までを切欠いて、カバー３０の下面の開口部３０ｄに連続させたものである。また、収納ボックス４６Ｂは、カバー３０の下面の縁から後面３０ｂの縁に沿って、すなわち、カバー３０の下面の開口部３０ｄと後面３０ｂの開口部３０ｅの周囲を囲むように貼り付けられる無端状の緩衝部材３４を有する。そして、カバー３０の後面３０ｂに位置する緩衝部材３４の部分は、図９に示すように、カバー３０が閉じた状態において燃料タンク１０の前面に密着するようにしてある。つまり、緩衝部材３４により、カバー３０の下面と箱体２３の上面との間、および、カバー３０の後面３０ｂと燃料タンク１０の前面と間に生じる衝撃を緩和するとともに、収納ボックス４６Ｂ内への雨水などの浸入を防止している。
【００９０】
このように構成した第３の実施の形態によれば、次の効果が得られる。
【００９１】
第２の実施形態と同様に、カバー３０の開く方向の回動が燃料タンク１０により規制されることのない位置まで、カバー３０および回動軸２０を移動させて、カバー３０を開くことができるので、燃料タンク１０によりカバー３０の開く方向の回動が規制されることのないようにすることができ、カバー３０を全開させることができる。これにより、カバー３０が邪魔になることなく、メンテナンス用品や工具等を収納ボックス４６Ｂから取出したり、収納ボックス４６Ｂに入れたりすることができる。
【００９２】
また、第２の実施形態と同様に、従来のカバー開閉構造部よりも少ない部品点数で、カバーを回動可能に支持でき、かつ、カバーを開いた状態に保持できる。
【００９３】
また、特に第３の実施形態によれば、カバー３０を全開させた際に、カバー３０の後面３０ｂの開口部３０ｅが、箱体２３の開口部２３ｂと重なり、これにより、カバー３０の後面３０ｂにより箱体２３の開口部２３ｂの一部が覆われることを避けることができるので、第２の実施形態よりも箱体２３の開口部２３ｂを有効に利用することができる。
【００９４】
なお、第２，第３の実施形態は、回動軸２０をスライド可能に支持する長溝を、長溝２２ａのように直線状に形成してあるが、本発明はこれに限るものではなく、曲線状に形成してもよい。
【００９５】
また、第１〜第３の実施形態は、クローラ式ショベルに採用してあるが、本発明はこれに限るものではなく、それ以外の作業機械、例えばクレーン、ミニショベル、小旋回機に採用してもよい。
【００９６】
【発明の効果】
以上に説明したように、請求項１に係る発明によれば、カバーの開く方向の回動が箱体に隣接する機器により規制されることのないようにすることができるので、作業の際にカバーが邪魔にならない収納スペースやメンテナンススペースなどの所要のスペースを備える作業機械を実現できる。また、ミニショベルや小旋回機では、各種機器の設置スペースが制限される度合いが大きいが、このような小型の作業機械でも、カバーの開く方向の回動が各種機器に規制されることがないようにすることが容易になる。
【００９７】
また、特に請求項２に係る発明によれば、燃料タンクに対してこの燃料タンクの前方に箱体を隣接させて収納スペースを設ける場合に、燃料タンクの前面によるカバーの開く方向の回動の規制を避けることができる。
【００９８】
また、特に請求項３に係る発明によれば、前面に化粧カバーが取付けられる燃料タンクに対してこの燃料タンクの前方に箱体を隣接させて収納スペースを設ける場合に、化粧カバーによるカバーの開く方向の回動の規制を避けることができる。
【図面の簡単な説明】
【図１】収納ボックスを備えるクローラ式ショベルを示す斜視図である。
【図２】第１の実施形態の収納ボックスの構成を示す説明図である。
【図３】図２に示す収納ボックスのＩＩＩ−ＩＩＩ断面図である。
【図４】図２に示すカバー開閉構造部の拡大図である。
【図５】第２の実施形態の収納ボックスの構成を示す説明図である。
【図６】図５のＶＩ−ＶＩ断面図である。
【図７】図５に示すカバー開閉構造部の拡大図である。
【図８】第３の実施形態の収納ボックスの断面図である。
【図９】図８のＩＸ−ＩＸ断面図である。
【図１０】従来のクローラ式ショベルの収納ボックスを示す説明図である。
【符号の説明】
１      第１の箱体
１ａ    第１収納スペース
２      第２の箱体（箱体）
２ａ    第２収納スペース
３      カバー
８      フック
９      フック受け部
１０    燃料タンク
１１    化粧カバー
１２    張出ビーム
１４    回動軸
１６    ガイド部材
１６ａ  長溝
１６ｂ  凹部
１７    棒状部材
１７ａ  第１軸
１７ｂ  第２軸
１９    ブラケット
２０    回動軸
２２    ガイド部材
２２ａ  長溝
２３    箱体
２３ａ  第１収納スペース
２３ｂ  開口部
３０    カバー
３０ａ  第２収納スペース
３２    緩衝部材
３３    緩衝部材
３４    緩衝部材
４０    旋回体（作業機械本体）
４１    運転席
４２    フロント作業機
４３    機械室
４４    カウンタウェイト
４５    走行体
４６      収納ボックス
４６Ａ    収納ボックス
４７    ステップ
４８    滑り止めシート
４９    サイドフレーム
５０    カバー開閉構造部
５０Ａ  カバー開閉構造部
【図１】
2005002560.tif 000003
【図２】
2005002560.tif 000004
【図３】
2005002560.tif 000005
【図４】
2005002560.tif 000006
【図５】
2005002560.tif 000007
【図６】
2005002560.tif 000008
【図７】
2005002560.tif 000009
【図８】
2005002560.tif 000010
【図９】
2005002560.tif 000011
【図１０】
2005002560.tif 000012